(57)【要約】  ＬＥＤ（２４）からの光を透過させる光学部材（４３〜４５）を支える支持ピン（１１）では、拡散板（４３）に接する部分を頂部（１４）は光反射性材料で形成され、頂部（１４）を支える部分を柱部（１２）は、光透過性材料で形成される。
2011010487.tif 000002
【特許請求の範囲】
【請求項１】
光源からの光を透過させる光学部材を支える支持ピンにあって、
上記光学部材に接する部分を頂部、
上記頂部を支える部分を柱部、
とすると、
上記頂部は、光反射性材料で形成され、
上記柱部は、光透過性材料で形成される支持ピン。
【請求項２】
上記頂部は、先細り形状である請求項１に記載の支持ピン。
【請求項３】
上記頂部は、錐体状である請求項２に記載の支持ピン。
【請求項４】
上記頂部は、塗料剤である請求項１または２に記載の支持ピン。
【請求項５】
上記柱部は、支持ピンのピン軸方向に沿った平面を含む柱状である請求項１〜４のいずれか１項に記載の支持ピン。
【請求項６】
上記柱部は、多角柱状である請求項５に記載の支持ピン。
【請求項７】
上記支持ピンは、上記光学部材を支える以外の他用途の機能部材と連なっている請求項１〜６のいずれか１項に記載の支持ピン。
【請求項８】
上記機能部材は、上記光源を把持するものである請求項７に記載の支持ピン。
【請求項９】
上記機能部材は、複数の別部材を連結させるものである請求項７に記載の支持ピン。
【請求項１０】
請求項１〜９のいずれか１項に記載の支持ピンと、
上記支持ピンに支えられる上記光学部材と、
上記光学部材に光を供給する光源と、
を含む照明装置。
【請求項１１】
上記光源が複数個、並べて配置され、上記光源同士の間に、上記支持ピンが挟まれて配置されている場合、
上記柱部にて、上記支持ピンのピン軸方向に沿った側面は、上記支持ピンを挟む上記光源の並び方向に対して直交する請求項１０に記載の照明装置。
【請求項１２】
上記支持ピンは、上記光学部材を支える以外の他用途の機能部材と連なっており、
上記機能部材は、上記光源である線状光源を把持する用途を有する請求項１０または１１に記載の照明装置。
【請求項１３】
上記支持ピンは、上記光学部材を支える以外の他用途の機能部材と連なっており、
上記機能部材は、上記光源を取り付けた実装基板とシャーシとを連結させる用途を有する請求項１０〜１２のいずれか１項に記載の照明装置。
【請求項１４】
請求項１〜１３のいずれか１項に記載の照明装置と、
上記照明装置からの光を受ける表示パネルと、
を含む表示装置。
【請求項１５】
上記表示パネルが液晶表示パネルである請求項１４に記載の表示装置。
【請求項１６】
請求項１５の表示装置を搭載するテレビ受像装置。
【発明の詳細な説明】
【技術分野】
【０００１】
本発明は、支持ピン、照明装置、表示装置、およびテレビ受像装置に関する。
【背景技術】
【０００２】
非発光型の液晶表示パネル（表示パネル）を搭載する液晶表示装置（表示装置）では、通常、その液晶表示パネルに対して、光を供給するバックライトユニット（照明装置）も搭載される。そして、このバックライトユニットでは、内蔵の光源（例えば、蛍光管のような線状光源、または、発光素子のような点状光源）からの光の進行方向を制御すべく、種々の光学部材が搭載される。【０００３】
例えば、図１１Ａに示すような、特許文献１のバックライトユニット１４９では、バックライトシャーシ１４１の縁に、２つの光学部材１４６・１４７が配置され、それら光学部材１４６・１４７が、蛍光管１２４の光を透過させる過程で、光の出射方向が制御される。つまり、このような光学部材１４６・１４７の存在によって、バックライトユニット１４９からの光は、光量ムラを含まないように制御される。
【先行技術文献】
【特許文献】
【０００４】
【特許文献１】特開平０７−６４０８４号公報（段落［0027］参照）
【発明の概要】
【発明が解決しようとする課題】
【０００５】
しかしながら、図１１Ａに示すように、バックライトユニット１４９には、光学部材１４６・１４７を支えるための支持ピン１１１が取り付けられる。そして、この支持ピン１１１が透明樹脂で形成されている場合、図１１Ｂに示すように、光学部材１４６・１４７内を行き交う光の一部が、支持ピン１１１の先端から進入しやすい（一点鎖線矢印参照）。【０００６】
このように、光学部材１４６・１４７内の光が、支持ピン１１１の内部に進行してしまうと、その支持ピン１１１付近の光学部材１４６・１４７の一部分が、周囲よりも暗くなってしまい、バックライトユニット１４９からの光に光量ムラが含まれてしまう。【０００７】
本発明は、上記の問題点を解決するためになされたものである。そして、その目的は、バックライトユニットのような照明装置からの光に光量ムラを抑制させた光を出射させる照明装置等に適した支持ピン、さらには、照明装置等そのものの電子機器を提供することにある。
【課題を解決するための手段】
【０００８】
支持ピンは、光源からの光を透過させる光学部材を支える。そして、このような支持ピンにて、光学部材に接する部分を頂部、頂部を支える部分を柱部、とすると、頂部は、光反射性材料で形成され、柱部は、光透過性材料で形成される。【０００９】
このようになっていると、光学部材に光が行き交った場合に、その光学部材内の光が支持ピンに進入しようとしても、光反射性材料で形成された頂部によって反射する。すると、光学部材内の光が支持ピンに進入することなく、その支持ピンの頂部付近が周囲に比べて暗くなり難い。【００１０】
また、支持ピンの柱部は、頂部と異なって、光透過性材料で形成される。そのため、柱部に光源からの光が照射されたとしても、影が生じにくい。したがって、このような支持ピンが、光源の光を利用する照明装置に搭載されると、その照明装置からの光に光量ムラが含まれにくくなる（つまり、この支持ピンは照明装置に有用な部材といえる）。【００１１】
なお、頂部は、先細り形状（例えば、錐体状）であると望ましい。このようになっていると、光学部材に対する支持ピンの接触面積が比較的狭面積になる。そのため、光学部材に支持ピンが映り込む面積も狭面積になり、その光学部材を介して出射する光に、支持ピンの映り込みに起因する光量ムラが含まれにくくなる。【００１２】
また、さらに、光学部材に支持ピンが映り込む面積を小さくさせようとするならば、頂部は、塗料剤であってもかまわない。【００１３】
また、柱部は、支持ピンのピン軸方向に沿った平面を含む柱状（例えば、多角柱状）であると望ましい。このようになっていると、支持ピンの配置によって、平面の位置が調整可能になり、その平面の反射光が所望方向に導ける。そのため、支持ピンを外部から目立たないように、支持ピンの反射光が調整される。【００１４】
ところで、支持ピンは、光学部材を支える以外の他用途の機能部材と連なっていてもよい。例えば、機能部材は、光源を把持するものであってもよい。また、機能部材は、複数の別部材を連結させるものであってもよい。【００１５】
なぜなら、以上のような支持ピンと、支持ピンに支えられる光学部材と、光学部材に光を供給する光源と、を含む照明装置にて、多機能の支持ピンが搭載されていれば、部品点数が抑えられるためである。【００１６】
詳説すると、照明装置にあって、支持ピンは、光学部材を支える以外の他用途の機能部材と連なっており、その機能部材は、光源である線状光源を把持する用途を有する例が挙げられる。また、別例としては、機能部材は、光源を取り付けた実装基板とシャーシとを連結させる用途を有する照明装置が挙げられる。【００１７】
なお、光源が複数個並べて配置され、光源同士の間に、支持ピンが挟まれて配置されている場合、柱部にて、支持ピンのピン軸方向に沿った側面は、支持ピンを挟む光源の並び方向に対して直交すると望ましい。【００１８】
このようになっていると、光源からの光が、支持ピンにおける柱部の側面に入射した場合、柱部を通過せずに反射する光は、光源に戻るような方向に向かって進行しやすい。そのため、支持ピンを基準にして種々方向に反射進行する光量が少なくなり、それに起因して、支持ピンが外部から目立ちにくくなる。【００１９】
なお、以上のような照明装置と、その照明装置からの光を受ける表示パネル（例えば、液晶表示パネル）と、を含む表示装置も本発明といえ、さらに、その表示装置を搭載するテレビ受像装置も本発明といえる。
【発明の効果】
【００２０】
本発明の支持ピンによれば、光源からの光を受ける光学部材を支えつつ、光源からの光を受けても、光学部材内を行き交う光を内部に進入させず、かつ、影も発生させない。そのため、このような支持ピンが照明装置に搭載されると、その照明装置からの光には、支持ピンに光が進入することに起因する光量ムラ、および、支持ピンのために生じた影に起因する光量ムラが含まれにくくなる。
【図面の簡単な説明】
【００２１】
【図１】は、図９の部分断面図である（図９のＡ−Ａ’線矢視断面図である）。
【図２】は、支持ピンの斜視図である。
【図３】は、バックライトユニットにおける光の光路の一例を示す光路図である。
【図４】は、ＬＥＤモジュールを取り付けられたバックライトシャーシの底面の平面図である。
【図５Ａ】は、レンズを透過する光の光路の一例を示す光路図である。
【図５Ｂ】は、比較例となる光路図である。
【図６】は、レンズの斜視図である。
【図７】は、支持ピンの斜視図である。
【図８】は、リベット機能を有する支持ピンを含むバックライトユニットの断面図である。
【図９】は、液晶表示装置の分解斜視図である。
【図１０】は、液晶表示装置を搭載する液晶テレビの分解斜視図である。
【図１１Ａ】は、従来のバックライトユニットの断面図である。
【図１１Ｂ】は、従来のバックライトユニットにおける光の光路図である。
【発明を実施するための形態】
【００２２】
［実施の形態１］
実施の一形態について、図面に基づいて説明すれば、以下の通りである。なお、便宜上、ハッチングや部材符号等を省略する場合もあるが、かかる場合、他の図面を参照するものとする。また、断面図以外の図であっても、便宜上、ハッチングを付す場合もある。
【００２３】
図１０は、液晶表示装置（表示装置）６９を搭載する液晶テレビ８９である。なお、このような液晶テレビ８９は、テレビ放送信号を受信して画像を映すことから、テレビ受像装置といえる。図９は、液晶表示装置を示す分解斜視図である。この図に示すように、液晶表示装置６９は、液晶表示パネル５９と、この液晶表示パネル５９に対して光を供給するバックライトユニット（照明装置）４９と、これらを挟み込むハウジングＨＧ（表ハウジングＨＧ１・裏ハウジングＨＧ２）と、を含む。
【００２４】
液晶表示パネル５９は、ＴＦＴ（Thin  Film  Transistor）等のスイッチング素子を含むアクティブマトリックス基板５１と、このアクティブマトリックス基板５１に対向する対向基板５２とをシール材（不図示）で貼り合わせる。そして、両基板５１・５２の隙間に液晶（不図示）が注入される。
【００２５】
なお、アクティブマトリックス基板５１の受光面側、対向基板５２の出射側には、偏光フィルム５３が取り付けられる。そして、以上のような液晶表示パネル５９は、液晶分子の傾きに起因する透過率の変化を利用して、画像を表示する。
【００２６】
次に、液晶表示パネル５９の直下に位置するバックライトユニット４９について説明する。バックライトユニット４９は、ＬＥＤモジュール（発光モジュール）ＭＪ、バックライトシャーシ４１、支持ピン１１、大判反射シート４２、拡散板４３、プリズムシート４４、および、マイクロレンズシート４５を含む。
【００２７】
ＬＥＤモジュールＭＪは、実装基板２１、ＬＥＤ（Light  Emitting  Diode）２４、およびレンズ２６を含む。
【００２８】
実装基板２１は、板状かつ矩形状の基板であり、実装面２１Ｕ上に、複数の電極（不図示）を並べる。そして、これらの電極上に、発光素子であるＬＥＤ２４が取り付けられる。なお、実装基板２１における実装面２１Ｕには、保護膜となるレジスト膜（不図示）が成膜される。このレジスト膜は、特に限定されるものではないが、反射性を有する白色であると望ましい。なぜなら、レジスト膜に光が入射したとしても、その光はレジスト膜で反射して外部に向かおうとするので、実装基板２１による光の吸収という光量ムラの原因が解消するためである。
【００２９】
ＬＥＤ２４は、光源であり、実装基板２１の電極を介した電流によって発光する。そして、ＬＥＤ２４の種類は多々あり、以下のようなＬＥＤ２４が挙げられる。例えば、ＬＥＤ２４は、青色発光のＬＥＤチップ（発光チップ）と、そのＬＥＤチップからの光を受けて、黄色光を蛍光発光する蛍光体と、を含むものが挙げられる（なお、ＬＥＤチップの個数は特に限定されない）。このようなＬＥＤ２４は、青色発光のＬＥＤチップからの光と蛍光発光する光とで白色光を生成する。
【００３０】
ただし、ＬＥＤ２４に内蔵される蛍光体は、黄色光を蛍光発光する蛍光体に限らない。例えば、ＬＥＤ２４は、青色発光のＬＥＤチップと、そのＬＥＤチップからの光を受けて、緑色光および赤色光を蛍光発光する蛍光体と、を含み、ＬＥＤチップからの青色光と蛍光発光する光（緑色光・赤色光）とで白色光を生成してもよい。
【００３１】
また、ＬＥＤ２４に内蔵されるＬＥＤチップは、青色発光のものに限られない。例えば、ＬＥＤ２４は、赤色発光の赤色ＬＥＤチップと、青色発光の青色ＬＥＤチップと、青色ＬＥＤチップからの光を受けて、緑色光を蛍光発光する蛍光体と、を含んでいてもよい。なぜなら、このようなＬＥＤ２４であれば、赤色ＬＥＤチップからの赤色光と、青色ＬＥＤチップからの青色光と、蛍光発光する緑色光とで白色光を生成できるためである。
【００３２】
また、全く蛍光体を含まないＬＥＤ２４であってもよい。例えば、赤色発光の赤色ＬＥＤチップと、緑色発光の緑色ＬＥＤチップと、青色発光の青色ＬＥＤチップと、を含み、全てのＬＥＤチップからの光で白色光を生成するＬＥＤ２４であってもよい。
【００３３】
また、図９に示されるバックライトユニット４９では、１枚の実装基板２１に５個のＬＥＤ２４を列状に実装した比較的短い実装基板２１と、１枚の実装基板２１に８個のＬＥＤ２４を列状に実装した比較的長い実装基板２１と、が搭載される。
【００３４】
特に、２種類の実装基板２１は、５個のＬＥＤ２４の列と８個のＬＥＤ２４の列とを１３個のＬＥＤ２４の列にするように並ばせ、さらに、１３個のＬＥＤ２４の並ぶ方向に対して、交差（直交等）する方向にも、２種類の実装基板２１は並ぶ。これにより、ＬＥＤ２４はマトリックス状に配置され、面状光を発する（便宜上、異種の実装基板２１の並ぶ方向をＸ方向、同種の実装基板２１の並ぶ方向をＹ方向とし、このＸ方向とＹ方向とに交差する方向をＺ方向とする）。
【００３５】
なお、Ｘ方向に並ぶ１３個のＬＥＤ２４は、電気的に直列接続され、さらに、この直列につながった１３個のＬＥＤ２４は、Ｙ方向に沿って隣り合う別の１３個の直列接続されたＬＥＤ２４と電気的に並列に接続される。そして、これらマトリックス状に並ぶＬＥＤ２４は、並列駆動される。
【００３６】
レンズ２６は、ＬＥＤ２４からの光を受け、その光を透過（出射）させる。詳説すると、レンズ２６は、レンズ面２６Ｓの背面（受光面）側にＬＥＤ２４を収容可能な収容窪みＤＨ（後述の図１参照）を有し、その収容窪みＤＨとＬＥＤ２４との位置を合わせつつ、ＬＥＤ２４に覆い被さる。すると、レンズ２６の内部に、ＬＥＤ２４が埋め込まれ、ＬＥＤ２４からの光が、確実に、レンズ２６内部に供給される。そして、その供給された光の大部分が、レンズ面２６Ｓを介して外部に出射する。
【００３７】
バックライトシャーシ４１は、図９に示すように、例えば箱状の部材で、底面４１ＢにＬＥＤモジュールＭＪを敷き詰めることで、それら複数のＬＥＤモジュールＭＪを収容する。なお、バックライトシャーシ４１の底面４１ＢとＬＥＤモジュールＭＪの実装基板２１とは、例えば、リベット（後述の図７参照）を介して接続される。
【００３８】
支持ピン１１は、バックライトシャーシ４１の底面４１Ｂに取り付けられることで、底面４１Ｂから立ち上がり、拡散板４３、プリズムシート４４、およびマイクロレンズシート４５を支える（なお、バックライトシャーシ４１は、支持ピン１１とともに、側壁の頂きで、拡散板４３、プリズムシート４４、マイクロレンズシート４５をこの順で積み重ねて支えてもよい）。なお、支持ピン１１の詳細については後述する。
【００３９】
大判反射シート４２は、反射面４２Ｕを有する光学部材で、マトリックス配置された複数のＬＥＤモジュールＭＪに、反射面４２Ｕの裏面を向けて覆い被さる。ただし、大判反射シート４２は、ＬＥＤモジュールＭＪのレンズ２６の位置に合わせた通過開孔４２Ｈを含み、反射面４２Ｕからレンズ２６を露出させる（なお、上述の支持ピン１１を露出させるための開孔４２Ｈもある）。
【００４０】
すると、レンズ２６から出射する光の一部が、バックライトシャーシ４１の底面４１Ｂ側に向かって進行したとしても、大判反射シート４２の反射面４２Ｕによって反射し、その底面４１Ｂから乖離するように進行する。したがって、大判反射シート４２が存在することで、ＬＥＤ２４の光は損失することなく、反射面４２Ｕに対向した拡散板４３に向かう。
【００４１】
拡散板４３は、大判反射シート４２に重なる板状の光学部材であり、ＬＥＤモジュールＭＪから発せられる光および大判反射シート４２Ｕからの反射光を拡散させる。すなわち、拡散板４３は、複数のＬＥＤモジュールＭＪによって形成される面状光を拡散させて、液晶表示パネル５９全域に光をいきわたらせる。
【００４２】
プリズムシート４４は、拡散板４３に重なるシート状の光学部材である。そして、このプリズムシート４４は、一方向（線状）に延びる例えば三角プリズムを、シート面内にて、一方向に交差する方向に並べる。これにより、プリズムシート４４は、拡散板４３からの光の放射特性を偏向させる。なお、プリズムは、ＬＥＤ２４の配置個数の少ないＹ方向に沿って延び、ＬＥＤ２４の配置個数の多いＸ方向に沿って並ぶとよい。
【００４３】
マイクロレンズシート４５は、プリズムシート４４に重なるシート状の光学部材である。そして、このマイクロレンズシート４５は、光を屈折散乱させる微粒子を内部に分散させる。これにより、マイクロレンズシート４５は、プリズムシート４４からの光を、局所的に集光させることなく、明暗差（光量ムラ）を抑える。
【００４４】
そして、以上のようなバックライトユニット４９は、複数のＬＥＤモジュールＭＪによって形成される面状光を、複数枚の光学部材４３〜４５に通過させ、液晶表示パネル５９へ供給する。これにより、非発光型の液晶表示パネル５９は、バックライトユニット４９からの光（バックライト光）を受光して表示機能を向上させる。
【００４５】
ここで、支持ピン１１について、図１の断面図（図９のＡ−Ａ’線矢視断面図）および図２の斜視図を用いて詳説する。図１に示すように、支持ピン１１は、実装基板２１同士の間に位置し、バックライトシャーシ４１の底面４１Ｂに取り付けられる。そして、底面４１Ｂから立ち上がる支持ピン１１は、大判反射シート４２に形成された開孔４２Ｈを通過して、拡散板４３に向かって突き出る。
【００４６】
このような支持ピン１１は、図２に示すように、柱部１２、係合部１３、および頂部１４、を含む。
【００４７】
柱部１２は、支持ピン１１の主体となるものであり、例えば四角状の底面を有する柱(四角柱)である。そして、この柱部１２は、光を透過させる透明系の樹脂で形成される（ただし、樹脂材料は、特に限定されず、ポリカーボネート等が挙げられる）。
【００４８】
係合部１３は、柱部１２の末端につながる部材で、支持ピン１１自体をバックライトシャーシ４１の底面４１Ｂに取り付けるための部材である。具体的には、係合部１３は、突起片１３Ａと引っかけ片１３Ｂとを含んでいる。
【００４９】
突起片１３Ａは、バックラシャーシ４１に形成されたシャーシ開孔４１Ｈの径よりも若干小さい外径を有する柱片（ただし、柱の形状は円柱であっても多角柱であってもよい）であり、柱部１２の末端から突起している。そして、突起片１３Ａは、シャーシ開孔４１Ｈに嵌ることで、バックラシャーシ４１の底面４１Ｂの面内方向において、支持ピン１１を不動にする。
【００５０】
なお、突起片１３Ａが、バックライトシャーシ４１における底面４１Ｂのシャーシ開孔４１Ｈに嵌ると、柱部１２の末端は底面４１Ｂに接する。そのため、この柱部１２の末端とバックラシャーシ４１の底面４１Ｂとは、密着するとよい。例えば、バックラシャーシ４１の底面４１Ｂが平面であれば、柱部１２の末端も平面であると望ましい。
【００５１】
引っかけ片１３Ｂは、突起片１３Ａの先端に形成され、バックライトシャーシ４１のシャーシ開孔４１Ｈの縁に引っかかる部材である。したがって、引っかけ片１３Ｂは、底面４１Ｂのシャーシ開孔の縁に引っかかることで、その底面４１Ｂに対する立ち上がり方向（垂直方向等）において、支持ピン１１を不動にする。
【００５２】
頂部１４は、柱部１２の先端で支えられる部材であり、例えば円錐のような錐体状（先細りした形状）である（ただし、頂部１４の先端は半球面状である）。そして、この頂部１４は、光を反射させる白色系の樹脂で形成される（ただし、樹脂材料は、特に限定されず、ポリカーボネート等が挙げられる）。
【００５３】
このような支持ピン１１が拡散板４３等のような光学部材を支える場合、光がどのように進行するかを、図３を用いて説明する。通常、ＬＥＤ２４から発せられた光は、レンズ２６を通って種々方向に進行する。そのため、支持ピン１１に向かって進行する光も存在する。
【００５４】
このような光が支持ピン１１を照射した場合、支持ピン１１に基づく影がバックライトシャーシ４１の底面４１Ｂに生じやすい。しかしながら、図３に示されるように、支持ピン１１の柱部１２が透明樹脂等の光を透過させる材料で形成されている場合、支持ピン１１に向かう光の大部分は、柱部１２を透過する。そのため、支持ピン１１の影が生じにくい。
【００５５】
また、ＬＥＤ２４から発せられた光の一部は、レンズ２６を通過して拡散板４３に到達する。そして、その到達した光は、拡散板４３の内部に行き渡り、さらに、密着する支持ピン１１の頂部１４にまで進行しかねない。しかしながら、頂部１４は、白色樹脂等の光を反射させる材料で形成されている。そのため、拡散板４３の光は、頂部１４にて反射し、その頂部１４を通じ、支持ピン１１の内部にまで進行することはない。このように、頂部１４を通じて、拡散板４３の光が吸収されなければ、頂部１４付近（すなわち、支持ピン１１の先端付近）が周囲、すなわち、頂部１４を除く周囲よりも暗くなることは無い。
【００５６】
これらの結果、拡散板４３等の光学部材４３〜４５を経た光（バックライト光）には、支持ピン１１に起因する影、および、支持ピン１１の頂部１４に起因する暗部を原因にした光量ムラは含まれない。したがって、このような支持ピン１１が、ＬＥＤ２４の光を利用するバックライトユニット４９に搭載されると、そのバックライトユニット４９からの光に光量ムラが含まれにくくなる（つまり、この支持ピン１１はバックライトユニット４９に有用な部材といえる）。
【００５７】
ところで、この支持ピン１１が、図４の平面図に示すように、ＬＥＤ２４が複数個、並べて配置され、ＬＥＤ２４同士の間に、支持ピン１１が挟まれて配置されている場合、好ましい向きがある。詳説すると、図５Ａの拡大図に示すように、柱部１２にて、支持ピン１１のピン軸方向に沿った側面（平面等）１２Ｓは、支持ピン１１を挟むＬＥＤ２４の並び方向（すなわちＹ方向）に対して直交するとよい。
【００５８】
その理由を、図５Ａに示される支持ピン１１の配置と、比較例である図５Ｂに示される支持ピン１１の配置とを対比させて、説明する。なお、図５Ｂは、四角柱の柱部１２の側面１２Ｓが、支持ピン１１を挟むＬＥＤ２４の並び方向に対して４５°に傾いて配置されている状態を示す。
【００５９】
両図に示すように、ＬＥＤ２４から光（一点鎖線矢印参照）が、支持ピン１１を挟むＬＥＤ２４の並び方向に沿って進行してくる場合、図５Ｂに示されているような支持ピン１１の柱部１２では、入射する光の大部分が透過するものの、一部の光は、側面１２Ｓにより、Ｙ方向に対して交差するように反射進行する。そのため、支持ピン１１を中心（基点）にして、種々方向に光が進む（点線矢印参照）。すると、この支持ピン１１が、支持ピン１１以外の周囲に対して目立ちやすくなり、ひいては、バックライト光に、光量ムラが含まれる。
【００６０】
一方、図５Ａに示されているような支持ピン１１の柱部１２では、支持ピン１１を挟むＬＥＤ２４の並び方向（例えば、Ｙ方向）に沿って進行してくる場合、図Ｂ同様に、入射する光の大部分が透過するものの、一部の光は、側面１２Ｓにより、Ｙ方向に沿うようにして光を反射進行する（要は、側面１２Ｓは、ＬＥＤ２４から進行する光をＬＥＤ２４に戻すように反射させる；点線矢印参照）。すると、支持ピン１１を中心にして種々方向に進む光の光量は減少しやすい。その結果、この支持ピン１１が、支持ピン１１以外の周囲に対して目立たなくなり、ひいては、バックライト光に、光量ムラが含まれにくくなる。
【００６１】
要は、支持ピン１１の柱部１２が、ピン軸方向に沿う側面１２Ｓを含んでいると、平面等の側面１２Ｓ位置を調整することで、ＬＥＤ２４からの光を所望方向に反射進行させることができ、支持ピン１１を外部から目立たないようにできる。
【００６２】
［その他の実施の形態］
なお、本発明は上記の実施の形態に限定されず、本発明の趣旨を逸脱しない範囲で、種々の変更が可能である。
【００６３】
例えば、以上では柱部１２、四角柱状であったが、これに限定されるものではない。例えば、三角柱であってもよいし、五角柱以上の多角形の底面を有する柱状であってもかまわない。また、錐体状（角錐状／円錐状）であっても錐台状（角錐台状／円錐台状）であってもかまわない。要は、頂部１４を支えられるような柱で、光を透過させるような材料で形成されていればよい。
【００６４】
また、頂部１４の形状も、円錐のような錐体状（角錐状／円錐状）に限らず、錐台状（角錐台状／円錐台状）であっても柱状であってもかまわない。要は、拡散板４３等の光学部材に対する支持ピン１１の接触面積ができるだけ狭面積になればよい。このようになっていると、光学部材に支持ピン１１が映り込む面積も狭面積になり、その光学部材を介して出射する光に、光量ムラが含まれにくくなるためである。
【００６５】
なお、支持ピン１１における柱部１２と頂部１４とは、二色成型（ダブルモールド）で形成されることで、一体化していてもよいし、別体である柱部１２と頂部１４とが組み合って、一つの支持ピン１１になっていてもよい。要は、支持ピン１１の製造コスト、製造の簡素化等の様々な目的に合わせて、製造の仕方は選択されればよい。
【００６６】
さらには、頂部１４は、塗料剤であってもよい。すなわち、バックライトシャーシ４１の底面４１Ｂ上に現れる支持ピン１１の大部分が柱部１２で、その柱部１２の先端に、光反射性の塗料剤が塗られていてもよい。このようになっていても、拡散板４３を行き交う光は、柱部１２の先端に塗られた塗料剤で反射し、その柱部１２、ひいては支持ピン１１に進入しない。そのため、支持ピン１１には、拡散板４３の光が吸収されないので、その支持ピン１１の先端付近が周囲よりも暗くなることは無い。
【００６７】
また、図６に示すように、レンズ２６は、収容窪みＤＨ（すなわちＬＥＤ２４）に重なるレンズ面２６Ｓの一部を陥没させた陥没孔２６Ｄを含んでいてもよい。このようになっていると、陥没孔２６Ｄを境に分けられた曲面がレンズ面２６Ｓに生じ、そのレンズ面２６Ｓを通過する光は、全く陥没孔の無いレンズ面を通過する光に比べて、比較的光強度の強い光を一点に集中させない。
【００６８】
つまり、この陥没孔２６Ｄを囲むレンズ面２６Ｓの曲面は、陥没孔の無いレンズ面の曲面に比べて、強い曲率を有するので、ＬＥＤ２４の光を陥没孔２６Ｄの直上付近に集めることなく拡散させる（したがって、レンズ２４は拡散レンズといえる）。すると、比較的多量の光が、支持ピン１１に到達しやすくなる。（なお、全く陥没孔の無いレンズ面２６Ｓでも収容窪み２６Ｄの曲面の曲率で、光を拡散させることも可能である）そのため、以上のような光量ムラを抑制させる支持ピン１１が、有効利用されることになる。
【００６９】
ところで、支持ピン１１は、拡散板４３のような光学部材４３〜４５を支える役割を果たす。しかし、支持ピン１１は、光学部材４３〜４５を支える以外の他用途の機能部材と連なっていてもよい。例えば、バックライトユニット４９における光源が、ＬＥＤ２４ではなく、蛍光管の場合、図７に示すように、支持ピン１１の側面１２Ｓに、蛍光管を把持するためのランプクリップ１６がとりつけられてもよい。
【００７０】
詳説すると、ランプクリップ１６は、枝片１６Ｔと、その枝片１６Ｔの先端に形成されるクリップ片１６Ｃとを含む。
【００７１】
枝片１６Ｔは、柱部１２の側面１２Ｓから突き出すとともに、頂部１４に向かって延び出たアーム状の片材である。なお、図７では、対向する２つの側面１２Ｓから１本ずつ、枝片１６Ｔが突き出ているが、これに限定されるものではない。
【００７２】
クリップ片１６Ｃは、各枝片１６Ｔの先端に位置し、棒状（円柱状等）の蛍光管における側面を把持する部材である。そのため、クリップ片１６Ｃは、円柱状等の蛍光管を把持するために、側面に切れ込みＳＴを備える円柱管状になっている。なお、クリップ片１６Ｃが蛍光管を把持するため、クリップ片１６Ｃの内径は、蛍光管の外径よりも若干大きい。
【００７３】
なお、クリップ片１６Ｃは、切れ込みＳＴの縁部分をとなる張り出し部分ＡＰ・ＡＰを含む。かかる張り出し部分ＡＰ・ＡＰは、クリップ片１６Ｃの内径中心から離れるにしたがって広がっている。そのため、切れ込みＳＴの間隔（張り出し部分ＡＰ・ＡＰ同士の間）は、クリップ片１６Ｃの内径中心から離れるにしたがって広がる。
【００７４】
そして、このような張り出し部分ＡＰ・ＡＰは、樹脂製のために弾性力を有する。すると、蛍光管が切れ込みＳＴに合致して押さえ付けられると、張り出し部分ＡＰ・ＡＰ同士が弾力性に起因して乖離する。その結果、蛍光管がクリップ片１６Ｃの内部に容易に嵌る。
【００７５】
また、蛍光管がクリップ片１６Ｃに嵌った後、切れ込みＳＴの間隔を広げた張り出し部分ＡＰ・ＡＰは、弾力性に起因して元の状態（蛍光管を挟まない通常状態）に戻る。すると、張り出し部分ＡＰ・ＡＰ同士が近づき、蛍光管を押さえ付ける。その結果、蛍光管がクリップ片１６Ｃから脱落することなく、安定して把持される。
【００７６】
そして、このようなランプクリップ１６と一体化した支持ピン１１であれば、蛍光管を把持するだけのランプクリップは不要になり、バックライトユニット４９の部品点数が抑制される。その結果、バックライトユニット４９の製造が簡易になる。
【００７７】
また、他用途の機能部材は、蛍光管等の光源を把持するものに限らず、複数の別部材を連結させるものであってもよい。例えば、図９の断面図に示すように、ＬＥＤモジュールＭＪにおける実装基板２１とバックライトシャーシ４１の底面４１Ｂとを締結させるリベットＲＴが、支持ピン１１と一体化していてもよい。
【００７８】
このような支持ピン１１であっても、バックライトユニット４９の部品点数が抑制されることになるので、バックライトユニット４９の製造が簡易になる。なお、このようなリベットＲＴとしての役割を果たす支持ピン１１に、ランプクリップ１６が取り付けられていてもかまわない。すなわち、光学部材を支え、蛍光管を把持し、実装基板２１とバックライトシャーシ４１とを締結する支持ピン１１であってもかまわない。
【符号の説明】
【００７９】
１１        支持ピン
１２        柱部
１２Ｓ      柱部の側面
１３        係合部
１４        頂部
１６        ランプクリップ
ＲＴ        リベット
ＭＪ        ＬＥＤモジュール
２１        実装基板
２４        ＬＥＤ（光源、点状光源、発光素子）
２６        レンズ
４１        バックライトシャーシ
４２        大判反射シート
４３        拡散板
４４        プリズムシート
４５        マイクロレンズシート
４９        バックライトユニット
５９        液晶表示パネル（表示パネル）
６９        液晶表示装置（表示装置）
８９        テレビ受像装置
【図１】
2011010487.tif 000003
【図２】
2011010487.tif 000004
【図３】
2011010487.tif 000005
【図４】
2011010487.tif 000006
【図５Ａ】
2011010487.tif 000007
【図５Ｂ】
2011010487.tif 000008
【図６】
2011010487.tif 000009
【図７】
2011010487.tif 000010
【図８】
2011010487.tif 000011
【図９】
2011010487.tif 000012
【図１０】
2011010487.tif 000013
【図１１Ａ】
2011010487.tif 000014
【図１１Ｂ】
2011010487.tif 000015
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
光源からの光を透過させる光学部材を支える支持ピンにあって、
上記光学部材に接する部分を頂部、
上記頂部を支える部分を柱部、
とすると、
上記頂部は、光反射性材料により先細り形状に形成され、
上記柱部は、光透過性材料で形成される支持ピン。
【請求項２】
上記頂部は、錐体状である請求項１に記載の支持ピン。
【請求項３】
光源からの光を透過させる光学部材を支える支持ピンにあって、
上記光学部材に接する部分を頂部、
上記頂部を支える部分を柱部、
とすると、
上記頂部は、光反射性材料で形成され、
上記柱部は、光透過性材料で形成されるとともに支持ピンのピン軸方向に沿った平面を含む柱状である
支持ピン。
【請求項４】
上記柱部は、多角柱状である請求項３に記載の支持ピン。
【請求項５】
光源からの光を透過させる光学部材を支える支持ピンにあって、
上記光学部材に接する部分を頂部、
上記頂部を支える部分を柱部、
とすると、
上記頂部は、光反射性材料で形成され、
上記柱部は、光透過性材料で形成され、
上記光源を把持する機能部材と連なっている支持ピン。
【請求項６】
上記機能部材は、複数の別部材を連結させるものである請求項５に記載の支持ピン。
【請求項７】
上記頂部は、塗料剤である請求項１〜６のいずれかに記載の支持ピン。
【請求項８】
請求項１〜７のいずれか１項に記載の支持ピンと、
上記支持ピンに支えられる上記光学部材と、
上記光学部材に光を供給する光源と、
を含む照明装置。
【請求項９】
上記光源が複数個、並べて配置され、上記光源同士の間に、上記支持ピンが挟まれて配置されている場合、
上記柱部にて、上記支持ピンのピン軸方向に沿った側面は、上記支持ピンを挟む上記光源の並び方向に対して直交する請求項８に記載の照明装置。
【請求項１０】
上記支持ピンは、上記光学部材を支える以外の他用途の機能部材と連なっており、
上記機能部材は、上記光源である線状光源を把持する用途を有する請求項８または９に記載の照明装置。
【請求項１１】
上記支持ピンは、上記光学部材を支える以外の他用途の機能部材と連なっており、
上記機能部材は、上記光源を取り付けた実装基板とシャーシとを連結させる用途を有する請求項８〜１０のいずれか１項に記載の照明装置。
【請求項１２】
請求項８〜１１のいずれか１項に記載の照明装置と、
上記照明装置からの光を受ける表示パネルと、
を含む表示装置。
【請求項１３】
上記表示パネルが液晶表示パネルである請求項１２に記載の表示装置。
【請求項１４】
請求項１３の表示装置を搭載するテレビ受像装置。
【国際調査報告】
2011010487.tif 000016
2011010487.tif 000017
2011010487.tif 000018